(57)【特許請求の範囲】
【請求項１】
害虫の監視及び駆除に使用する装置であって、
各ハウジングは外面を有し、且つ内室及び該外面と該室との間に配置された複数の開口を定めている複数のハウジング
各々のハウジングを少なくとも一つの他のハウジングに連結する連結手段であって、少なくとも二つのハウジングはそれらハウジングの内室が互いに連通するようにそれらの開口を通じて連通しており、それぞれの連通孔を通じて互いに連通している該少なくとも二つのハウジングはそれぞれもう一つのハウジングの外面と接触する外面を有しており、そして該二つのハウジングは互いに積み重ねられているか又は横並びにされているかであるような、連結手段、
開口の少なくも１個が取付面に隣接して配置されるように少なくも１個のハウジングの外面を取付面に取り付けるための取付手段、
及び、任意に、カバーが無ければ覆われない状態にとどまる各々の開口を覆う少なくも１個のカバー
を具備することを特徴とする装置。
【請求項２】
連結されたハウジングの少なくとも一つが取り付け面への取り付けに供される１次ハウジングである請求項１の装置。
【請求項３】
ハウジングが小さくかつ相互交換可能であることを更に特徴とする請求項１又は２の装置。
【請求項４】
少なくも１個の内室の中に受け入れられるようにされかつ任意に毒物を含有する害虫の食べ得るマトリックスを備えることを更に特徴とする請求項１、２又は３の装置。
【請求項５】
少なくとも一つのハウジングが平坦でない取り付け面に取り付けられるように柔軟な材料によって作られていることを特徴とする請求項１-４のいずれかの装置。
【請求項６】
柔軟な害虫の食べ得る複数のマトリックスがハウジングの内室に設けられ、
ハウジングは、平らでない取付面に取り付け得るハウジングの柔軟な積重ねを形成するように互いに連結することができるように、柔軟な材料で作られていることを特徴とする請求項１−５のいずれかの装置。
【請求項７】
装置が開口の少なくも１個を予め選定された寸法に広げるための手段を備えることを更に特徴とする請求項１−６のいずれかの装置。
【請求項８】
監視又は駆除される害虫がシロアリであることを特徴とする請求項１−７のいずれかの装置。
【請求項９】
害虫の監視又は駆除のための方法であって、
請求項１−９のいずれかの装置のハウジング内に定められた少なくとも一つの内室の中に害虫の食べ得るマトリックスを置き、そして
該内室と構造物との間の通路を提供するために開口の少なくも１個が取付面に隣接して配置されるように、外面を害虫の居場所に近い構造物の取り付け面に１次ハウジングの外面を取り付ける
諸段階を含むことを特徴とする前記方法。
【請求項１０】
請求項９の害虫の監視又は駆除の方法であって、
各々のハウジングの外面がそれが連結されるハウジングの外面と接触し、且つ連結されたハウジングの内室が相互に連通するように、各々のハウジングを少なくとも一つの他のハウジングに連結する段階、及び
もう一つのハウジングの外面又は取り付け面と連結されていない外面のあらゆる開口をカバーで覆う段階、
を包含することを特徴とする方法。
【請求項１１】
取付面が平坦でなく、且つハウジングが柔軟な材料でつくられていることを特徴とする請求項９の害虫の監視又は駆除の方法。
【発明の詳細な説明】
本発明は、害虫の監視用又は駆除のための方法及び装置に関し、特にコロニーに住み、かつシロアリ目、より特別にはシロアリのような化学的シグナルにより通信をなし得る有害な社会性昆虫の監視及び駆除に関する。
有害な社会性昆虫の監視及び駆除のために使用し得る多くの現在利用可能な方法及び装置がある。一般に、かかる方法及び装置は、監視行為の結果として認められたときに害虫の駆除に向けられる。認知後、害虫は、害虫、特に特定の巣又はコロニーから害虫にとり魅力的なマトリックス内の毒物を経口摂取させ又は接触させることにより駆除される。
地中のシロアリは、地面に穴を掘り大きいコロニーを形成することが多い。コロニーの害虫は、食物を探してコロニーの巣から外向きに地中の廊下又は通路を掘り、探しているシロアリにより置かれた食物は巣に戻される。シロアリは、フェロモンのような化学的シグナルによりコロニー内の他のシロアリに食物源の場所を通信する。これらの特徴は、害虫の横行を有効に管理するために本発明の分野において利用することができる。巣への移動中に、昆虫は、食物源に向け又は補充する高度に特別な道しるべフェロモンを他の昆虫に残すことができる。続いて、通常の同じコロニーの他の昆虫がこの化学的シグナルを検出して、その食物源に向けられる。これらフェロモンの本来の濃度と成分とは、特定することができ、そしてコロニー特有の道しるべフェロモンは、摂食開始フェロモンとは大きく異なる可能性がある。昆虫は、食物源それ自体に食物の好ましさを通信する摂食開始フェロモンを残すことができる。食物を探している昆虫による毒物含有マトリックス食物源における特定のフェロモンの沈着は、同じ巣の昆虫の毒物含有マトリックスへの新たな接近を助け、これらが食物を探すと毒物に暴露され、更にフェロモンを沈着させ、こうして周期的な駆除法を作る。昆虫の集団に持って行かれた毒物は、目標の昆虫を追い払うことのない遅効性で集中的に殺虫しかつ昆虫の食物と結び付き得るものであることが好ましい。毒物に直接触れ又は摂取した昆虫は、直ぐには死なず、コロニーに戻り他の仲間の昆虫を毒物に誘い、これにより死ぬより前のコロニーとの交互作用のためコロニーの大量の昆虫の駆除をもたらすであろう。
害虫の監視用及び害虫に毒物を与えるための提供される方法及び装置においては、害虫が摂食を開始した場所への中断を最小にすることが有利である。かかる場所は地中に置かれ、場所の中断は、例えば、国際特許ＰＣＴ９３／０５００４号及び米国特許５３２９７２６号に説明されたように、地中に永久的に固定されかつ補充の監視用及び毒物含有物質の周期的な再充填が可能なステーションハウジングの使用により最小にされる。
かかる方法及び装置の有効性にもかかわらず、本技術においては、害虫が構造体、樹木及び同様な場所にいる場合、穴の中における装置の設置は非実際的であり、地上用に使用できる害虫監視用又は駆除用の装置及び方法に対する需要がある。この地上用の装置及び方法は、毒物含有マトリックスの害虫駆除員への限定された暴露が可能なマトリックスの補充を可能とする安定した最小に中断された場所を提供する。
本発明の理解を助けるために、マトリックスの害虫による消費の周期的な監視と補充ができて害虫への安定した給餌環境を維持できる害虫の監視又は駆除のための方法及び装置に向けられるものを本質的な概要の形式で述べることができる。この方法及び装置は、家屋を含んだ構造物のような地中及び地上の内外の環境、並びにフエンス及び同等物の上又は近く樹木において使用することができ、そして最も好ましくは地上環境において使用される。この方法及び装置は、害虫が食べ始める場所の中断を最小にしつつ害虫の監視及び／又は駆除をなし得るので部分的に特に有用である。
より特別には、本発明は、その態様に一つにおいて、装置が１次ハウジング、連結用手段及び取付手段を備えることを特徴とする害虫の監視又は駆除用の連結可能な器具又は装置に関する。一次ハウジングは外面を備え、内室及び外面と内室との間に配置された複数の開口を定める。連結用手段は、１次ハウジングの内室が２次ハウジングの内室と連絡するように、１次ハウジングの開口の少なくも１個が２次ハウジングにより定められた開口と少なくも部分的に揃えられるようにして１次ハウジングを２次ハウジングに連結するためのものである。監視手段は、１次ハウジングの開口の少なくも１個が１次ハウジングの室と構造物との間の通路を設けるように、監視し又は駆除すべき害虫に近い構造物の取付面に１次ハウジングの外面を取り付けるために使用される。害虫の食べるマトリックスは害虫を監視し又は駆除するために室の内側に置くことができる。
本発明は、その別な態様においては、装置が複数のハウジング、連結用手段、監視用手段及び少なくも１個のカバーを備えることを特徴とする害虫の監視用又は駆除用の装置に関する。このカバーは、他のハウジングの他の開口に直接連絡しないハウジングの開口、又は取付面に隣接して配置された開口を実質的に覆うために使用される。
本発明は、装置が複数のハウジング、連結用手段、監視用手段及び１個のカバーを備えることを特徴とする害虫の監視用又は駆除用の装置にも関する。複数のハウジングは、１次ハウジングと少なくも１個の２次ハウジングとを含み、各ハウジングは第１の外面と第２の外面とを有し、かつ内室を定めている。第１の開口が第１の外面と内室との間に配置され、そして第２の開口が第２の外面と内室との間に配置される。連結用手段は、第２のハウジングの各の第１の外面が別のハウジングの第２の外面と接触するように、２次ハウジングの各を少なくも１個の別のハウジングに連結することができる。そこで、２次ハウジングの各の第１の開口が別のハウジングの第２の開口と連絡し、従って連結されたハウジングの内室は互いに連絡する。装置の２次ハウジングの１個の第２の開口は他のハウジングの第１の開口とのいずれとも直接連絡しない。連絡していない第２の開口を覆うためにカバーが設けられる。
本発明は、装置が柔軟な第１、第２及び第３のシートを備えることを特徴とする害虫の監視用又は駆除用の装置にも関する。第１のシートはこれを貫いて配置された開口であってかつこの開口を覆うように配置された着脱可能なフラップを持った前記開口、略平らな内面、及び反対側の略平らな外面を定める。第２のシートは、これを貫いて配置された観察穴であってかつこの穴を覆ったり覆いを外したりするように動き得る可動の観察用フラップを持った前記穴、略平らな内面、及び反対側の略平らな外面を定める。第３のシートは、略平らな内面、及び反対側の略平らな外面を定める。開口及び観察ポートを少なくも部分的に囲んだ第１の経路において内面を下面に取り付けるための手段が設けられ、これにより第１のシートと第２のシートとの間に体積を定める。観察ポートを少なくも部分的に囲んでいる第２の経路において内面を上面に外し得るように取り付けるための手段及び開口を囲んでいる第３の経路に沿って害虫に近い取付面の外面を外し得るように取り付けるための手段も設けられる。
本発明は、別の態様においては、複数のハウジング、及びハウジングの内室が第１の開口を通して取付面と連絡し更に第２の開口を通して互いに連絡するように横並びの配列で害虫に近い取付面にハウジングの各の外面を取り付けるための取付手段を備えることを特徴とする害虫の監視又は駆除用の装置に関する。
本発明は、更に、害虫を監視又は駆除するための上述の装置又は器具と同様な装置及び器具を使用するための幾種類かの方法に関する。
害虫のコロニーの監視及び／又は極めて少量の毒物の使用による大きな害虫コロニーの駆除に極めて有効な害虫監視用又は駆除のための方法及び装置を提供することが本発明の目的である。
極めて限られた分量の毒物、適用区域、及び時期を局限することにより環境への暴露を最小にする厳密に定められかつ管理された方法で毒物を与える害虫監視用又は駆除のための方法及び装置を提供することが本発明の別の目的である。
周囲条件に応答可能でありしかも最小数の簡単な構成要素と段階とを意図した害虫監視用又は駆除のための方法及び装置を提供することが本発明のなお別の目的である。
装置を容易かつ安全に使用でき同時に毒物取扱者への暴露の危険を最小にする害虫監視用又は駆除のための方法及び装置を提供することが本発明のなお別の目的である。
害虫による毒物の摂取を最大にし同時に使用する毒物の量を大きく減らす害虫監視用又は駆除のための方法及び装置を提供することが本発明のなお別の目的である。
本発明の更なる目的及び利点はこの説明の以下の部分、請求項、及び付属図面の研究より明らかとなるであろう。
図１は、本発明を示す害虫の監視用又は駆除用の装置の第１の実施例の分解斜視図である。
図２は、本発明を示す害虫の監視用又は駆除用の装置の第１の実施例の斜視図である。
図３は、本発明を示す害虫の監視用又は駆除用の装置の第１の実施例のハウジングの拡大斜視図である。
図４は、本発明を示す害虫の監視用又は駆除用の装置の第１の実施例のハウジングの拡大平面図である。
図５は、本発明を示す害虫の監視用又は駆除用の装置の第１の実施例のハウジングの拡大側面図である。
図６は、本発明を示す害虫の監視用又は駆除用の装置の第１の実施例のハウジングの拡大底視図であり、マトリックスなしで示している。
図７は、本発明を示す害虫の監視用又は駆除用の装置の第１の実施例のカバーの拡大斜視図である。
図８は、本発明を示す害虫の監視用又は駆除用の装置の第１の実施例のカバーの拡大底視図である。
図９は、本発明を示す害虫の監視用又は駆除用の装置の第２の実施例の分解斜視図である。
図１０は、本発明を示す害虫の監視用又は駆除用の装置の第２の実施例の斜視図である。
図１１は、本発明を示す害虫の監視用又は駆除用の装置の第１及び第２の実施例の斜視図である。
図１２は、本発明を示す害虫の監視用又は駆除用の装置の第３の実施例のシート部分の平面図である。
図１３は、本発明を示す害虫の監視用又は駆除用の装置の第３の実施例のシート部分の底視図である。
図１４は、本発明を示す害虫の監視用又は駆除用の装置の第３の実施例の斜視図である。
図１５は、本発明を示す害虫の監視用又は駆除用の装置の第３の実施例の底視図である。
図１６は、図１４の線１６−１６に沿って得られた詳細断面図である。ただし、装置の第３のシートは装置の第２のシートに取り付けられて配置される。
図１７は、本発明を示す害虫の監視用又は駆除用の装置の第１及び第２の実施例の斜視図である。
図１８は、本発明を示す害虫の監視用又は駆除用の装置の第４の実施例のシート部分の平面図である。
図１９は、本発明を示す害虫の監視用又は駆除用の装置の第４の実施例のシート部分の底視図である。
図２０は、本発明を示す害虫の監視用又は駆除用の装置の第５の実施例の分解斜視図である。
図２１は、本発明を示す害虫の監視用又は駆除用の装置の第５の実施例のハウジングの拡大斜視図である。
図２２は、本発明を示す害虫の監視用又は駆除用の装置の第５の実施例のハウジングの拡大平面図である。
図２３は、本発明を示す害虫の監視用又は駆除用の装置の第５の実施例の拡大底視視図であり、マトリックスなしで示している。
本明細書の以下の部分は、図面を参照し、本発明の好ましい実施例を説明する。ここに明らかにされる本発明の実施例は、商業的環境下で本発明を実施するために発明者により意図された最良の方式のものである。ただし、本発明の範囲内で種々の変更をなし得ることを理解すべきである。
さて、本発明の第１の実施例の詳細な説明のために図面を参照すれば、図１−８は、複数のハウジング１２を有する装置１０を示し、各ハウジングは、好ましくは、ポリスチレンを含んだ種々の公知のポリマー、並びに耐食性金属及びワックスのような好ましくは弾力があって本質的に生物分解せずかつ温度及び紫外線放射による劣化に耐える耐久性材料で形成されることが好ましい。図３及び６を参照すれば、各ハウジング１２は、一般に平らな第１の外面１３、反対側の一般に平らな第２の外面１４を有し、更に少なくも１個の害虫の食べ得るマトリックス１６を収容し得る内室１５を定め、この内室１５はこれを部分的に定めている周囲の内面２０内にある。
適切なマトリックス(matrix)は、監視し又は駆除する害虫の種に適した適宜のマトリックスとすることができ、好ましくは繊維又は改変された繊維質の物質、例えばセルローズ含有物質から形成できる。適切なセルローズ含有材料は、限定するものではないが、紙、紙製品（１００％バージン紙、再生紙、又はバージン紙と再生紙との組合せ）、木綿リンター、ボール紙、板紙、砕木又は木粉、再生紙、或いはメトセル（Methocel、ダウ・ケミカル・カンパニイの商標名）の商標名で市場で入手可能なメチルセルローズ、ヒドロキシプロピルメチルセルローズ、及びヒドロキシブチルメチルセルローズのようなセルローズエーテル、或いはその他の農産物繊維が含まれる。これらの物質は、典型的には漂白用薬品の溶液、例えば水溶液で漂白することができる。紙製品及び木綿リンターは選択的に織り目を作り又凹凸をるくることができ、また選択的に複数の層状プライで構成することもできる。
駆除すべきシロアリ及びその他の害虫の種に対して使用するために、十分な湿気、水をマトリックスに加えることができ、更にマトリックスは内室の内部の湿度を予定のレベルに維持するために湿潤剤又はその他の湿度調整手段を備えることができる。マトリックスを、監視又は駆除する害虫の種に対し魅力的にし又は忌避しないようにする擬フェロモン物質及びその他の構成要素もまた与えることができる。
マトリックスは、その中に浸み込ませ又は混ぜることのできる好ましくは遅効性の毒物を含むことができる。或いは、昆虫を駆除することなく要注意昆虫の活動を監視する場合は、マトリックスを毒物なしで使うことができる。適切な毒物は、例えば殺虫薬、昆虫の成長抑制剤、病原微生物又はＰＣＴ国際公開ＷＯ  ９３／２３９９８号及びＷＯ  ９３／２４０１１号に説明されたもののようなこれらから誘導された毒物である。好ましい殺虫薬はＰＣＴ国際公開ＷＯ  ９３／２４０１１号に説明されたものであり、特に好ましくはＰＣＴ国際公開ＷＯ  ９３／２４０１１号の請求項において言及された化合物殺虫剤であり、より好ましくはヘキサフルミュロン（hexaflumuron）である。米国特許５５５６８８３号に説明されたヘキサフルミュロンと構造的に同様な化合物、又は米国特許４８３３１５８号に明らかにされたようなその他のアルシ尿素（acyl urea）化合物、例えばフルフェノクスウロン（fluflenoxuron）も使うことができる。その他の適切な毒物は、１９９６年１１月８日付け米国特願０８／７４５３８７号、及び１９９６年１１月８日付け米国暫定出願６０／０２９７４２号、６０／０２９７４７号、及び６０／０２９７４８号に明らかにされたような幾種かのベンゾイルフェニル尿素化合物、及びＰＣＴ国際公開ＷＯ  ９６／３２００９号の明らかにされた毒物を含むことができる。米国特許５５５６８８３号、米国特願０８／７４５３８７号、及び米国暫定出願６０／０２９７４２号、６０／０２９７４７号、及び６０／０２９７４８号は、全て、本発明に関連した毒物として使用し得る種々の殺虫用化合物を教示するために参考文献としてここに取り込まれる。
タッピング柱２２が、向かい合っている第１のコーナー２３の近くで内面２０に取り付けられ、穴空き柱２４が向かい合っている第２のコーナー２５の近くで同様に内面２０に取り付けられる。各ハウジング１２は、第１の外面１３と内室１５との間に配置されたハウジングの第１の開口２６、及び第２の外面１４と内室１５との間に配置されたハウジングの第２の開口２８（図４参照）を定める。各ハウジング１２は、これを、第１のハウジングの開口２８が第２のハウジングにより定められた開口２６と少なくも部分的に揃う（即ち、２個の開口が互いに連絡する）ように、従って第１のハウジングの内室１５が第２のハウジングの内室１５と連絡するように、第２のハウジングに連結するための連結用部材を備える。図３に示されるように、各ハウジング１２は、第１の外面１３に隣接した周囲ショルダー３０を更に備え、また各ハウジングは、第２の外面１４に隣接した周囲ステップ３２に備え、これにより各ハウジング１２の第１の外面１３は、別のハウジング１２の第２の外面１４と組み合って結合することができる。各周囲ショルダー３０に複数のチャンネル３３が配置され、各チャンネル３３は、一方向スナップ機構として作用する外向きに突き出しているあご付きの鎖錠用フィンガー３４を備える（図５参照）。各ステップ３２には、別のハウジング１２のチャンネル３３と対応して配置された複数の内向きに突き出ているノッチ３５が配置される。各ノッチ３５はスロット３６を有し、従って、ハウジング１２は、ハウジング１２の第１の外面１３が別のハウジング１２の第２の外面１４と組合って置かれたとき各フィンガー３４が対応するスロット３６内に入り込むことにより、別のハウジング１２に取り付けることができる。各ハウジング１２は、フィンガー３４のスロット３６に関する相対的な撓みと各フィンガー３４をスロット３６内に配置することにより、他のハウジング１２と脱着可能でかつ相互交換可能に連結することができる。こうして互いに組み合わせられて位置決めされたハウジング１２の分離は、ねじ回しのような刃付きの工具を、第２の外面１４に隣接して各ハウジング１２に定められたこじ開け用の溝３７内に使用することにより行うことができる。加えて、ハウジング１２の各は、ここに説明されたフィンガーとスロット以外の適宜の種々の連結用手段を使用して他のハウジング１２から外しかつ相互交換して連結することができる。
図４を参照すれば、ハウジングの第１の開口２６の形状が変えられ、典型的には、大きい除去部分３８及び内部の直立体１８の間に配置された向かい合いの小さい除去部分３９とを含んだ１個又は複数個の脆い除去部分を取り去ることにより予定された寸法に拡大される。言うまでもなく、図４に示された除去部分は例示だけのものであること、及び追加の除去部分をハウジング１２の多くの位置に配置できることが認められるであろう。図３を参照すれば、向かい合っているマトリックス保持板ノッチ４０も第２の外面１４の近くに各ハウジング１２により定められ、かつ各マトリックス保持板ノッチ４０に隣接して柔軟なマトリックス保持板保持用フィンガー４１が配置される。
図７及び８に示されるように、カバー４２は、一般に平らなカバー外面４３、カバー内面４４、及びカバー４２の対角線方向の向かい合ったコーナーの近くでカバー内面４４に隣接して配置された１対のカバー柱４５を備える。カバー４２は、公知の種々のポリマー、耐食性金属及びワックスのような好ましくは弾力があって本質的に生物分解せずかつ温度及び紫外線放射による劣化に耐える耐久性材料で形成されることが好ましい。各カバー柱４５はカバーの穴４６を定め、カバー外面４３はこのカバー穴４６と対応する１対の凹み部分４７を定める。カバー穴４６は、説明されたようにカバー４２がハウジング１２に取り付けられたときに、ハウジング１２のタッピング柱２２と揃うように配置される。カバー４２は、更にカバー周囲のショルダー４８を有し、カバーショルダー４８には複数のカバーチャンネル５０が配置され、各カバーチャンネル５０は平滑で外向きに突き出ている鎖錠用フィンガー５２を備える。従って、カバー４２は、各鎖錠用フィンガー５２をハウジング１２の対応したスロット３６内に入れ込むことによりハウジング１２の第２の外面１４と組み合うことができる。カバー４２は、ハウジング１２と組み合うと、ハウジング１２の第２の開口２８（図４参照）を実質的に覆い又は閉鎖する。ハウジング１２と組み合って位置決めされたカバー４２は、刃付きの工具をこじ開け用の溝３７内に使用することにより外すことができる。カバー４２は、鎖錠用フィンガー５２のスロット３６に関する相対的な撓みと各鎖錠用フィンガー５２をスロット３６内に配置することとにより、どのハウジング１２にも脱着可能でかつ相互交換可能に連結することができる。更に、カバー４２は、ここに説明された鎖錠用フィンガー５２及びスロット３６以外の適宜の種々の連結用手段を使用してハウジング１２に着脱可能に連結することができる。例えば、前に注意されたように、カバー穴４６がタッピング柱２２と揃えて配置され、従ってカバー４２がハウジング１２と組み合わせられたとき、各カバー穴４６を通過するように配置されかつ各タッピング柱２２にねじ結合されたタッピングねじ（図示せず）のようなねじ固定具の使用により、ハウジング１２へのカバー４２の更なる取り付けを行うことができる。好ましくは、本発明内部の湿度を調整するために、１個又は複数個の水分ユニット５４がカバー内面に取り付けられる。水分ユニット５４は、適切な水分保持材料、例えば吸収性のスポンジ状材料より形成され、例えば接着剤によりカバー４２に取り付けられる。水分ユニット５４は、ある例においては、内室１５内の湿度を予定レベルに調整するために使用することができる。
図１及び６を参照すれば、タブ５８を持った一般に平らなマトリックス保持板５６が、各タブ５８をマトリックス保持板ノッチ４０内に差し込むことによりハウジング１２に着脱可能に取り付けられる。マトリックス保持板５６は、マトリックス保持板保持用フィンガー４１（図３参照）により定位置に維持される。或いは、マトリックス保持板５６は、例えば、マトリックス保持板ノッチ４０内にタブ５８を永久的に取り付けることにより、ハウジング１２とマトリックス保持板５６とを一体に形成することにより、或いは種々の固定具、接着剤又は同等品のいずれかを使ってマトリックス保持板５６をハウジング１２に適切に取り付けることにより、ハウジング１２に永久的に取り付けることができる。マトリックス保持板５６は、マトリックス１６を内室１５内の定位置に機能的に保持するように作用し、かつハウジング１２からカバー４２を外したとき、使用者に指示、注意及びその他の関連情報を示すことができる。
図１を参照すれば、ハウジング１２の第１の外面１３（図６参照）が取付面６２に取り付けられるようにして、１次ハウジング６０と呼ばれるハウジング１２が知られた昆虫の活動位置の近くの取付面６２に取り付けられる。このとき、内室１５は、取付面６２に隣接した配置されたハウジングの第１の開口２６（図６参照）を介して取付面６２と連絡し、内室１５と取付面６２との間の通路を提供するであろう。取付面６２は、屋内又は屋外に置くことができ、家屋のような構造物、又は樹木、フェンス、又は同等物の面とすることができ、そして昆虫が取付面６２に再び近づくための通路を造ることにより干渉に対して適切に選定され整えられる。取付面６２への１次ハウジング６０の取り付けは、例えば、固定具（図示せず）を穴空き柱２４（図３参照）に通して取付面６２内に配置することにより達成できる。固定具は、なじ、釘、ピン及び同等品を含む現在利用可能な固定具から選定することができる。更に、１次ハウジング６０は、磁気的手段、接着剤、かしめ、及びテープを含んだその他の手段により取付面６２に取り付けることができる。昆虫又は害虫の監視又は駆除のために、昆虫毒物を含んだマトリックス１６は、希望するならば、説明されたように１次ハウジング６０の内室１５内に置くことができる、そして水分ユニット５４に水分を加え、カバー４２を第２の外面１４（図３参照）において１次ハウジング６０と組み合うように押し込むことができる。また、ある場合には、マトリックス１６を毒物なしとし、これにより、昆虫駆除用の毒物の使用前に地上設置物内の対象昆虫の活動の監視を行うことができる
更に、カバー４２は、カバー穴４６（図７参照）を通りタッピング柱２２（図３参照）内へのねじ固定具の使用により１次ハウジング６０に着脱可能に固定することができ、これによりカバー４２が不法に又は不慮に外される機会を減らす。カバー４２は、他のハウジングの他のどの開口にも直接連絡せず（即ち直接隣接しない）、又は構造物の取付面に隣接して配置されたハウジングの第２の開口２８（図４参照）を本質的又は実質的に覆うための使用される。これにより、１次ハウジング６０及びカバー４２は、マトリックス１６を内室１５内の環境内に維持する。この室は、餌を探している昆虫又は害虫への干渉を最小にするように比較的限定された空気の動きを持つことが好ましく、また、望まれたときは、実質的に遮光しかつ水分の蒸発を管理する。マトリックス１６は、ハウジング１２又はカバー４２のどの外側開口部からでも近づくことができ、同時に種々の与えられた形状及び大きさのマトリックス１６を囲んでいるので、ハウジング１２及びカバー４２が本発明に遭遇する人の毒物への暴露を防ぎつつ、マトリックス１６を環境から隔離する。以上の説明より分かるように、カバー４２は、ハウジングの第２の開口２８を覆っている第１の位置とハウジングの第２の開口２８が覆われない第２の位置との間を動くことができる。
取付面６２が平面でなく昆虫が本発明に近づくときに通過するエッジのある場合は、１次ハウジング６０に１個又は複数個の異なった大きさの除去部分を設けることができる。例えば、図１及び２に示されるように、本発明に近づく昆虫が通過するエッジ６６が取付面６２にある場合、大きい除去部分３８を前から持っていたハウジング１２のエッジがエッジ６６と組み合わせられ配置されるように、１次ハウジング６０を取付面６２に取り付けるより前に大きい除去部分３８（図３参照）が１次ハウジング６０から除去される。また、取付面６２への取り付け以前に１次ハウジング６０から取り外すことのできる小さい除去部分３９（図３参照）のような１個又は複数個の追加の除去部分をハウジング１２に設けることもできる。小さい除去部分３９は、例えば本発明が高い位置の害虫トンネルと組み合わせて配置されたとき、本発明に近づく昆虫が大きい除去部分３８より与えられる開口よりも小さい開口を通りたいときに特に有利である。
マトリックス１６の昆虫による消費は、カバー４２が透明又は半透明である場合はカバー４２を通して観察することができ、或いは実質的な遮光環境が維持されているときは、ハウジングの第２の開口２８（図４参照）を通してマトリックス１６を示すために、１次ハウジング６０を取付面６２に関して定位置に維持しつつカバー４２を第１のハウジング６０から外すことにより監視することができる。図１において１次ハウジング６０内にあるマトリックス１６で示されたように毒物含有マトリックス１６のかなりの部分が消費された場合は、１次ハウジング６０のスロット３６内に２次ハウジング７０のフインガー３４を組み合わせて、１次ハウジング６０に２次ハウジング７０と呼ばれる別のハウジング１２を取り付けることにより、追加の毒物を昆虫に給送することができる。２次ハウジング７０は、典型的には、１次ハウジング６０と実質的に同じであり、また互いに交換可能である。２次ハウジング７０は、こうして１次ハウジング６０と組み合わせられて置かれ、２次ハウジング７０の第１の外面１３が１次ハウジング６０の第２の外面１４と隣接して配置され、かつ２次ハウジング７０のハウジングの第１の開口２６は１次ハウジング６０のハウジングの第２の開口２８と少なくも部分的に揃えられかつ連絡する。従って、１次ハウジング６０の内室と２次ハウジング７０の内室とは互いに連絡するので、１次ハウジング６０により定められた内室１５内の昆虫は、２次ハウジング７０の内室１５内に自由に動くことができ、マトリックス１６の消費を開始する。１次ハウジング６０への取り付けに関して前述された方法で２次ハウジング７０にカバー４２を取り付けることにより、本発明は拡張され積み重ねられた形式に構成することができ、取付面６２と１次ハウジング６０との間の界面を大きく乱すことなく追加のマトリックス１６を設け、これにより、昆虫は、摂食環境への分断が最小で１次ハウジング１６のマトリックス１６から２次ハウジング７０のマトリックス１６に動くことができる。
２次ハウジング７０内の活動の周期的監視から示される２次ハウジング７０のマトリックス１６のかなりの部分の消費の後で、１次ハウジング６０への２次ハウジング７０の取り付けに関して前に説明された方法と同じ方法で、更に別のハウジング１２を２次ハウジング７０に追加することができることは明らかである。更なる追加ハウジング１２を同様に加えて、１次ハウジング６０に取り付けられたハウジング１２の大きい積重ねを形成することができる。ハウジング１２の追加が、シロアリのコロニー又は巣と１次ハウジング６０との間に既に確立された接近用廊下又は通路の現存ネットワークを乱すことはない。
１次ハウジング６０に取り付けられたハウジング１２の積重なりは、積重なり内の個別ハウジング１２の相対位置が互いに変更可能であるため、又はマトリックス１６が実質的に消費された選定されたハウジング１２の除去のため、分離でき又は再び組み立てることができる。また、現在昆虫の活動しているハウジング１２と１次ハウジング６０との間への新しい未使用ハウジング１２の設置により、昆虫が新しいハウジング１２のマトリックス１６を食べ尽くすように昆虫を１次ハウジング６０に戻るように導くことができる。
１次ハウジング６０を取付面６２から外すことはある場合には適切であるが、一般には、昆虫に親しみを与えかつ内部環境又は取付面６２と内側ハウジング１２、１次ハウジング６０との間の安定した共通域を与えるために、１次ハウジング６０は取付面６２に取り付けられたままであろうことが認められるであろう。
マトリックス保持板５６がハウジング１２に着脱可能に取り付けられた場合は、ハウジング１２内のマトリックス１６の総て又は一部分が消費された後、希望するならば、ハウジング１２からマトリックス保持板５６を取り出し、その後でマトリックス保持板ノッチ４０内にマトリックス保持板２６の各タブ５８を差し込んでマトリックス保持板５６を交換することにより、元のマトリックス１６の残りの部分をすっかり取り去った後で内室１５内に新しい交換マトリックス１６を置いて、新しい交換マトリックス１６をハウジング１２内に配置することができる。
本発明の第２の実施例においては、２個又はそれ以上のハウジング１２が横並びに取り付られ、例えば図９−１０に示されるように、１対のハウジング１２と１対のカバー４２とが取付面６２に横並び状態で着脱可能に取り付けられる。取付面６２は適切に選定され、そして各ハウジング１２に近い取付面６２への接近を得るために昆虫用の１対の通路を作ることにより介在(intervention)のために整えられ、各内室１５は、取付面６２における昆虫の通路を有するそれぞれのハウジングの第１の開口２６（図６参照）を経て連絡している。各ハウジング１２の隣接した側から小さい除去部分３９が取り去られ、これによりハウジング１２間の直接連絡を許す。マトリックス１６は、各ハウジング１２の内室１５内に配置される。注意されたように、ハウジング１２の取付面６２への取り付けは、固定具を、各穴空き柱２４（図３参照）を通して取付面６２内に配置することにより、或いは、磁気的手段、接着剤、かしめ及びテープを含んだその他の手段により達成される。湿度ユニット５４に水分を加えることができ、そして各カバー４２が１個のハウジング１２と結合するように組み合わせられる。説明のように、カバー４２は、ねじ固定具をカバー穴４６（図７参照）に通しタッピング柱２２（図３参照）内に使用することにより、ハウジング１２に固定することができる。監視がハウジング１２内のマトリックス１６の相当な部分の消費を示したときは、１対のハウジング１２の一方を取付面６２から外し、これを新しい交換ハウジング１２に代えることができる。取付面６２への取り付けより前に、新たな交換ハウジング１２の対応した除去部分３９を取り去り、従って新しい交換ハウジング１２は、取付面６２に取り付けられたとき、小さい除去部分３９の除去により形成されたハウジング１２の開口部を通して、残っている元のハウジング１２と連絡する。この方法で、残っていた元のハウジング１２における昆虫の摂食を、追加マトリックス１６を消費するように新しい交換ハウジング１２に自由に動かすことができる。続いて、新たな交換ハウジング１２における昆虫の摂食が確立されたとき、新たな交換ハウジング１２を取付面６２に関する定位置に維持しつつ残っていた元のハウジング１２を別のハウジング１２と交換できる。その後で、適宜の与えられたときに横並びハウジング１２の一方のみの交換により昆虫環境の高度の連続性が達成されるようにして、１対のハウジング１２の一方のハウジング１２の別の置換を同様に連続できることが明らかであろう。２個以上のハウジング１２が横並びアレイで使用された場合、各交換作業中、昆虫が摂食する少なくも１個のハウジング１２を交換しないようにして１個又は複数個のハウジング１２の交換をなし得ることが勿論認められるであろう。
図１１に示されるようなに複数のハウジング６０が取付面６２に取り付られ、各ハウジング６０が除去部分を経て少なくも１個の他のハウジング６０と連絡し、これらハウジング６０が１個以上の適切に置かれた除去部分を利用して１個以上の他のハウジング６０と連絡する場合、本発明の第１及び第２の実施例を併せて使うことができる。加えて、各ハウジング６０は、これに取り付けられた１個以上の２次ハウジング７０を持つことができる。図１１に示されたハウジング６０と２次ハウジング７０のアレイは任意かつ例示のみのものであり、各ハウジング６０は、適切に置かれた除去部分を経てその各側の他のハウジング６０と連絡でき、また適宜の数の２次ハウジング７０を持つことができる。
更に、ある条件においては、１次ハウジング６０と２次ハウジング７０とを、互いに永久的に取り付けて配置できることが認められるであろう。これに関連して、１個の２次ハウジング７０の第１の外面１３は、１次ハウジング６０又は他の２次ハウジング７０のの１個の第２の外面１４と接着組合せで固定することができ、及び／又はハウジング６０が永久的に横並び形状で取り付けられるときは、１個のハウジング６０の小さい除去部分３９を取り去り、これにより形成されたハウジング６０の開口部を、（その小さい除去部分を取り去る）同じ方法で形成された別のハウジング６０の開口部と隣接して置くことができる。
本発明の第３の実施例においては、図１２−１６に示されるように、装置１０は、多数の薄くて柔軟な第１のシート１５０を備え、その各は一般に平らなシート内面１５１（図１２参照）及び反対側の一般に平らな外面１５２（図１３参照）を有し、かつ第１のシート１５０を貫いて配置されたシートの第１の開口１５３（図１３参照）を定め、更にシートの第１の開口１５３を覆うように配置されたフラップ１５４を有している。フラップ１５４とシートの第１の開口１５３とを同時に作るように、第１のシート１５０を貫いて第１のスリット１５５を切ることにより第１のシート１５０と一体でかつこれに取り付けられたフラップ１５４を形成することができる。図１２−１３に示されるように、第１のスリット１５５は、シートの第１の開口１５３においてフラップ１５４を第１のシート１５０に取り付けるように作用する連結用フィンガー１５６があるためにフラップ１５４の連続した周囲を形成しない。説明されるであろうように、フラップ１５４は、タブ１５７をつかみ、フラップ１５４を引っ張って連結用フィンガー１５６を裂くことにより外し、これによりシートの第１の開口１５３を露出させることができる。或いは、図１３を参照すれば、フラップ１５４の代わりにシートの第１の開口１５３を覆うように脱着可能な接着性カバー（図示せず）をシート外面１５２に配置することができ、このときは、着脱可能な接着性シートを外すことによりシートの第１の開口１５３を露出させることができる。
本発明にとって本質的ではないが、各フラップ１５４は、図１３及び１５に示されるように、フラップ１５４を貫いて配置されたシートの第２の開口１６０を追加して定めることができ、更にシートの第２の開口１６０を覆うように配置された第２のフラップ１６２を持つことができる。このように定められたシートの第２の開口１６０は、シートの第１の開口１５３よりも小さい面積である。第２のフラップ１６２とシートの第２の開口１６０とを同時に作るように、フラップ１５４を貫いて第２のスリット１６３を切ることによりフラップ１５４と一体でかつこれに取り付けられた第２のフラップ１６２を形成することができる。第１のスリット１５５に関して前述されたと同じ方法で、第２のスリット１６３は、シートの第２の開口１６０において第２のフラップ１６２をフラップ１５４に取り付ける連結用フィンガー１５６の存在のために第２のフラップ１６２の連続した周囲を形成しない。更に、第２のフラップ１６２は、第２のタブ１６４をつかみ、第２のフラップ１６２を引っ張って連結用フィンガー１５６を裂くことにより外し、これによりシートの第２の開口１６０を露出させることができる。
図１２−１６に示されるように、装置１０は、多数の薄くて柔軟な第２のシート１６６を備え、その各は一般に平らな底面１６８（図１２参照）及び反対側の一般に平らな上面１７０（図１３参照）を有し、かつ第２のシート１６６を貫いて配置された観察ポート１７２（図１４参照）を定め、更に観察ポート１７２を覆うように配置された観察用フラップ１７４を有している。観察用フラップ１７４と観察ポート１７２とを同時に形成するように、第２のシート１６６を貫いてアーチ状のスリット１７６を切ることにより、第２のシート１６６と一体でかつこれに取り付けられた観察用フラップ１７４を形成することができる。図１２−１３に示されるように、アーチ状のスリット１７６は、観察ポート１７２において観察用フラップ１７４を第２のシート１６６に湾曲可能に取り付けるように作用する穴空きのエッジ１７８の存在のために観察用フラップ１７４の連続した周囲を形成しない。説明されるであろうように、観察用フラップ１７４は、穴空きエッジ１７８を曲げることにより、観察ポート１７２に関する開閉運動が可能であり、また観察用フラップ１７４をつかみ、孔線付きエッジ１７８に沿って裂くことにより第２のシート１６６から外し、これにより観察ポート１７を露出させることができる。更に、図１２−１６は、複数の薄くて柔軟な第３のシート１８０を示し、その各は一般に平らな内面１８２（図１２参照）及び反対側の一般に平らな外面１８３（図１３参照）を持っている。
第１、第２及び第３のシート１５０、１６６及び１８０は、選択的に金属被覆され又は伸長可能なポリマー製シートにような薄く柔軟で一般に平らな一枚物の材料より一体に形成することができる。第１、第２及び第３のシート１５０、１６６及び１８０は、検査を簡単化するために透明又は半透明の材料から形成することができ、或いは説明されるであろうように好ましくは薄くて柔軟なマトリックス１８４（図１４−１６参照）は、本質的に遮光環境を与えるために不透明とすることができる。本発明を限定するものではないが、昆虫の攻撃に対して本質的に耐えるであろうその他の材料で、本質的に生物分解せずかつ温度及び紫外線放射劣化に耐える丈夫な材料で第１、第２及び第３のシート１５０、１６６及び１８０を形成することが好ましい。
柔軟なマトリックス１８４は、監視される害虫の種の監視、減少又は撲滅と組み合わせて使用するに適した害虫の摂取し得る適宜のマトリックスを提供しかつそのように選定され、そして柔軟であって本発明の第３の実施例が平らでない面に取り付けられるような有利な方法で同形となる能力を提供する。マトリックスの説明に関してここで使用される用語「柔軟」は、紙シート状の構造のような比較的高度の柔軟性を有する１個又は複数個の連続した物質構造として形成されたマトリックスを含むことが考えられ、更にまた農産物グループ又は砕木、木粉、又は同等品のような独立粒子の集積から形成されたマトリックスも含むであろう。かかる農産物グループ又は集積は、以下説明されるように第１のシート１５０と第２のシート１６６との間に入れられたとき、これらが全体として柔軟に動き得るように、互いに相対運動をすることができる。柔軟なマトリックス１８４は、一般に、マトリックス１８４が柔軟である限り、本発明の以上の実施例に関して上述されたものから選定された柔軟材料を含むことができる。更にマトリックス１８４は、上述された毒物のような毒物を含むことができる。或いは、対象昆虫の駆除を望むことなく昆虫の活動を監視する場合は、柔軟マトリックス１８４は毒物なしでこれを利用することができる。
各シートの内面１５１は、第１の折り線１８５に沿って折り、第１のシート１５０と第２のシート１６６とを一緒にシートの第１の開口１５３と観察ポート１７２とを少なくも部分的に囲む第１の経路側１８６に沿って取り付けることにより第２のシート１６６の下面１６８に固定することができる。次いで、柔軟マトリックス１８４が、各第１のシート１５０と第２のシート１６６との間に定められた体積１８８（図１６参照）内に置かれ、好ましくは、マトリックス１８４、第１のシート１５０及び第２のシート１６６の曲げやすい柔軟な性質を保ちつつ、第１の経路の内側１９０において、下面１６８にシート内面１５１を固定することにより封鎖される。かかる固定は通常の秘術者によく知られたヒートシール又はその他の方法で達成される。
図１２−１６を参照すれば、第３のシート１８０の各内面１８２は、観察ポート１７２を少なくも部分的に囲む第２の経路１９４に沿って外せるように取り付けるために、第２の折り線１９２に沿って折り一緒にプレスすることにより第２のシート１６６の上面１７０に外し得るように取り付けられる。説明されるであろうように第２のシート１６６から第３のシート１８０を外すために折り線の孔線１９３が設けられる。第３のシート１８０の第２のシート１６６への外し得る取り付けは、第３のシート１８０の内面１８２上に配備された外し得る接着剤１９６の使用により、或いはジッパーを使った外し得る取り付け、マジックテープを使った取り付け、及び多数のスナップを使った取り付けを含む多くの外し得る取付方法のいずれかにより達成することができる。
図１３を参照すれば、第１のシート１５０のシート外面１５２は、発泡接着テープ１９９のような多くの手段の内の適宜の手段により、昆虫に近い平らでない取付面１９７（図１４参照）にシートの第３の開口１５３を囲む第３の経路において外し得るように取り付けられる。ただし、平らでない取付面１９７に第１のシート１５０を曲がりかつ外し得るように取り付ける多くのその他の方法を利用し得ることが認められるであろう。説明されるであろうように、第１のシート１５０、第２のシート１６６及び第３のシート１８０で形成される曲がり得る（即ち、柔軟な）各ハウジングユニット２００（図１４参照）は、第３のシート１８０を折り線の孔線１９３に沿って外すことにより第２の曲がり得るハウジングユニット２００から外した後で、第２の曲がり得るハウジングユニット２００の第２のシート１６６の上面１７０に外し得るように取り付けることもできる。
第１のシート１５０、第２のシート１６６、第３のシート１８０、及びマトリックス１８４を曲がり得る柔軟な材料で形成することにより、第１のシート１５０を第２のシート１６６に固定することにより、第３のシート１８０を第２のシート１６６に外し得るように取り付けることにより、及び平らでない取付面１９７又は別の第２のシート１６６に第１のシート１５０を外し得るように取り付けることにより、これらの曲がり得る柔軟な特徴が保存され、各曲がり得るハウジングユニット２００を平坦でない面に同形として取り付け配置することができる。言うまでもなく、各曲がり得るハウジングユニット２００は一般に平らな面に等しく有効に取り付け得ることが認められるであろう。また、第１のシート１５０、第２のシート１６６及び第３のシート１８０は、比較的拘束された空気の運動、管理された水分の蒸発を有する体積１８８内の環境を維持でき、またこれらは本質的に遮光される。
本発明の方法において、柔軟なマトリックス１８４を露出するために、フラップ１５４を曲がり得るハウジングユニット２００の第１のシート１５０から除くことができる。第２のフラップ１６２が設けられている場合は、柔軟なマトリックス１８４の比較的小さい面積を露出させるために、フラップ１５４の第１のシート１５０との連結を維持しつつフラップ１５４から第２のフラップ１６２を取り去ることができる。柔軟なマトリックス１８４のこの面積が、昆虫の活動、設置の特徴、及び期待される温度と湿度の範囲のような環境要因を含んだ多くの要因に基づき選定された特別の状況に暴露される。次に、発泡接着テープ１９９に、貯蔵及び取扱い中、除去可能な裏紙が設けられている場合は、この裏紙が外され、曲がり得るハウジングユニット２００は、典型的には、取付面１９７への昆虫の接近経路を適切に選定しかつ作ることにより取付面１９７を遭遇用に整えた後で、昆虫に近い平らでない取付面１９７に着脱可能に取り付けられる。図１４を参照すれば、多くの場合、第３のシート１８０が第２のシート１６６への密な取り付けを形成しない場合に、曲がり得るハウジングユニット２００内への外来物質の進入防止を支援するために、観察用フラップ１７４を上方に持ち上げ得るように配置するように、曲がり得るハウジングユニット２００を取り付けることが好ましい。各曲がり得るハウジングユニット２００の曲がり得る柔軟性のため、湾曲面、波状面、粗面、平らでない面又はその他の明らかに平坦でない面に、曲がり得るハウジングユニット２００を着脱可能に取り付けることができる。
平らでない取付面１９７に曲がり得るハウジングユニット２００を取り付けた後で、上面１７０を現すために第３のシート１８０が第２のシート１６６から剥がされる。その後で、観察ポート１７２を通して柔軟なマトリックス１８４の一部分を現すように観察用フラップ１７４が孔線のエッジ１７８において第２のシート１６６から離れるように曲げられる。水分は、例えば、ある用途については含水率が全水分の６５％ないし７０％となし得る希望範囲まで、灌水器を使って柔軟マトリックス１８４の複数の点に水を注ぐことにより柔軟マトリックス１８４に加えることができる。含水率を調整した後で、観察ポート１７２を覆うように観察用フラップ１７４の曲がりを戻し、第３のシート１８０を第２のシート１６６に再び取り付けると、曲がり得るハウジングユニット２００は使用状態に準備される。
続いて、第３のシート１８０を第２のシート１６６から剥がし、観察用フラップ１７４を第２のシート１６６から離すように曲げ観察ポート１７２を通して柔軟なマトリックス１８４を表すことにより、柔軟なマトリックス１８４の昆虫による消費を監視することができる。第２のシート１６６と第３のシート１８０が透明又は半透明の材料より形成された場合は、柔軟なマトリックス１８４の検査は、第３のシート１８０を第２のシート１６６から剥がすことなく又は観察用フラップ１７４を第２のシート１６６から離して曲げることなしに、第２のシート１６６と第３のシート１８０とを通しての直接観察により達成される。
毒物含有の柔軟マトリックス１８４の相当な部分が消費された場合は、害虫による摂食の生じた位置により多くの毒物含有の柔軟なマトリックスを加えることにより、或いは折り線の孔線１９３（図１２参照）において第３のシート１８０を第２のシート１６６から外し更に孔線のエッジ１７８において観察用フラップ１７４を第２のシート１６６から外して観察ポート１７２を露出させることにより、追加の毒物を昆虫に給送することができる。次に、前述のように使用するために別の曲がり得るハウジングユニット２００が調製され、元の曲がり得るハウジングユニット２００の観察ポート１７２が別の曲がり得るハウジングユニット２００のシートの第１の開口１５３と揃うように，元の曲がり得るハウジングユニット２００と揃えることにより、或いは、元の曲がり得るハウジングユニット２００の観察ポート１７２が別の曲がり得るハウジングユニット２００のシートの第１の開口１５３と少なくも部分的に重なるように，別の曲がり得るハウジングユニット２００を、部分的に元の曲がり得るハウジングユニット２００の第２のシート１６６の上面に取り付けかつ平らでない取付面１９７に部分的に取り付けることにより、元の曲がり得るハウジングユニット２００の第２のシート１６６の上面１７０に取り付けられる。各曲がり得るハウジングユニット２００の柔軟性のため、第２の曲がり得るハウジングユニット２００は、元の曲がり得るハウジングユニット２００と同形の取り付けで配置でき、この取り付けは発泡接着テープを含んだ種々の形式の柔軟な外し得る取り付けの適宜のものにより達成することができる。この方法で、昆虫は、元の曲がり得るハウジングユニット２００の柔軟なマトリックス１８４から第２の曲がり得るハウジングユニット２００の柔軟なマトリックス１８４に動く。
第２の曲がり得るハウジングユニット２００の柔軟なマトリックス１８４のかなりの部分が消費された後で、第２の曲がり得るハウジングユニット２００の元の曲がり得るハウジングユニット２００への取り付けに関して先に説明された方法と同じ方法で、第３の曲がり得るハウジングユニット２００を第２の曲がり得るハウジングユニット２００に取り付けて追加することができる。更なる追加の曲がり得るハウジングユニット２００を同様に加え、これにより曲がり得るハウジングユニット２００の柔軟な又は曲がり得る積重ねを形成する。また、平らでない取付面１９７への、又は別の曲がり得るハウジングユニット２００への、各曲がり得るハウジングユニット２００の取り付けを外し、積重ね内の個々の曲がり得るハウジングユニット２００の相対位置をこれにより変更し、又は柔軟なマトリックス１８４がかなり消費された曲がり得るハウジングユニット２００を除去するために、曲がり得るハウジングユニット２００の積重ねを分解及び再組立することができる。ある場合には、平らでない取付面１９７からの元の曲がり得るハウジングユニット２００の除去は適切であるが、一般的に昆虫に親しみを与えかつ元の曲がり得るハウジングユニット２００に取り付られた曲がり得るハウジングユニット２００と環境内部の平らでない取付面１９７との間の安定した共通域を与えるために、一般に、元の曲がり得るハウジングユニット２００は平らでない取付面１９７に取り付けられた位置に残されるであろう。
ハウジング１２と曲がり得るハウジングユニット２００の相対寸法が適切に選定されたときは、本発明の第１及び第３の実施例を共同して使用できることは明らかである。図１７に示されるように、例えば、１次ハウジング６０は取付面６２に取り付けられ、２次ハウジング７０は１次ハウジング６０に取り付けられ、そして曲がり得るハウジングユニット２００は、前述のように使用するために整えられかつ２次ハウジング７０のハウジングの第２の開口２８が曲がり得るハウジングユニット２００のシートの第１の開口１５３と揃うように曲がり得るハウジングユニット２００を配置することにより、２次ハウジング７０の第２の外面１４に取り付けられる。２次ハウジング７０への曲がり得るハウジングユニット２００の取り付けは発泡接着テープを含んだ種々の柔軟な外し得る取付方法のいずれかにより達成される。２次ハウジング７０がない場合は、曲がり得るハウジングユニット２００を１次ハウジング６０に取り付けることができ、更に加えて、本発明の第１の実施例を前述の方法と全く同じ方法で本発明の第４の実施例とともに使うことができる。
本発明の第４の実施例においては、図１８及び１９に示されるように、第１のシート１５０と第３のシート１８０の各は、１枚の薄い柔軟な一般に平らな不透明の材料から一体に形成され、一方、各第２のシート１６６は薄い柔軟な一般に平らな透明又は半透明の材料から別個に形成される。第１のシート１５０のシート内面１５１は、第２のシート１６６の下面１６８に、第１の経路側及び第１の経路の外側１９１に沿って一緒に取り付けることにより固定することができ、続いて体積１８８内に柔軟なマトリックス１８４を置き更に第１の経路の内側１９０において定位置に封鎖する。透明又は半透明の材料より形成された第２のシート１６６のため、柔軟なマトリックス１８４の昆虫による消費の監視は、第２のシート１６６から第３のシート１８０を剥がし透明又は半透明の第２のシート１６６を表すことにより達成される。更に、観察ポート１７２を通して柔軟なマトリックス１８４を直接検査するために観察用フラップ１７４を孔線のエッジ１７８において第２のシート１６６から離れるように曲げることができる。
本発明の第５の実施例においては、図２０−２３に示されるように、装置１０は複数のハウジング３１２を備え、各ハウジングは、ポリスチレンを含んだ種々の公知のポリマー、並びに耐食性金属及びワックスのような好ましくは弾力があって本質的に生物分解せずかつ温度及び紫外線放射による劣化に耐える耐久性材料で形成されることが好ましい。各ハウジング３１２は第１の実施例のハウジング１２と同様であるが、図１−６に示されたハウジング１２のような正方形の形状を持つとしては図示されない。各ハウジング３１２は、一般に平らな第１の外面３１３（図２３参照）、反対側の一般に平らな第２の外面３１４（図２１参照）を備え、更に内室３１５を定め、この内室は、内室３１５を部分的に定めている周囲内面３２０（図２１参照）内に、少なくも１個のマトリックス３１６、典型的には２個のマトリックス３１６を収容できる。適切なマトリックスは、本発明の前の実施例に関連して上述されたマトリックスから選定することができ、更に前述された毒物より選定された毒物を含み、又は毒物を含まないことができる。
図２１を参照すれば、タッピング柱３２３が、両側の第１のコーナー３２３の近くで内面３２０に取り付けられる。２個の穴空き柱３２４（図２１に１個の穴空き柱３２４だけが示される）が、両側の第２のコーナー３２５の近くで内面３２０に同様に取り付けられ、更に２個の穴空き柱３２７（図２１に１個の穴空き柱３２７だけが示される）がタッピング柱３２２の近くで内面３２０に同様に取り付けられる。各ハウジング３１２は、第１の外面３１３と内室３１５との間に配置されたハウジングの第１の開口３２６（図２３参照）、及び第２の外面３１４と内室３１５との間に配置されたハウジングの第２の開口３２８（図２２参照）を定める。各ハウジング３１２は、第１の外面３１３の近くに周囲ショルダー（リップ）３３０を備え、また、各ハウジング３１２は、第２の外面３１４の近くに周囲ステップ３３２を備え、これにより各ハウジング３１２の第１の外面３１３は別のハウジング３１２の第２の外面３１４と組み合うことができる。複数のチャンネル３３３が各周囲ショルダー（リップ）３３０に配置され、各チャンネル３３３は、１方向スナップ機構として機能するようにされたあご付きで外向きに突き出ている鎖錠用フィンガー３３４（図２３参照）を備える。各ステップ３３２には、別のハウジング３１２のチャンネル３３３と対応して配置された複数の内向きに突き出ているノッチ３３５が配置される。各ノッチ３３５はスロット３３６を有し、従って、ハウジング３１２は、ハウジング３１２の第１の外面３１３が別のハウジング３１２の第２の外面３１４と組合って置かれたとき、各フィンガー３３４が対応するスロット３３６内に入り込むことにより、別のハウジング３１２に取り付けることができる。各ハウジング３１２は、フィンガー３３４のスロット３３６に関する相対的な撓みと各フィンガー３３４をスロット３３６内に配置することにより、他のハウジング３１２と脱着可能でかつ相互交換可能に連結することができる。ハウジング３１２は、適切な固定具、例えば一方のハウジング３１２の穴空き柱３２７を通してねじを別のハウジング３１２の穴空き柱３２７内に差し込むことによっても他のハウジング３１２と脱着可能でかつ相互交換可能に連結することができる。こうして互いに組み合わせられて位置決めされたハウジング３１２の分離は、ねじ回しのような刃付きの工具を、第２の外面３１４に隣接して各ハウジング３１２に定められたこじ開け用の溝３３７内に使用することにより行うことができ、また固定具を穴空き柱３２７に挿入することによりハウジング３１２を互いにしっかり組み合わせるように固定具が使用された場合は、穴空き柱３２７から固定具を引き抜くことにより行うことができる。加えて、ハウジング３１２の各は、先に説明されたフィンガーとスロット及び／又は固定具と柱３２７以外の適宜の種々の連結用手段を使用して他のハウジング３１２から外しかつ相互交換して連結することができる。
ハウジングの第１の開口３２６の形状は、大きい除去部分３３８及び内部の直立柱３１８の間に配置された両側の小さい除去部分３３９を含んだ１個又は複数個の脆い除去部分を取り去ることにより変更することができる。言うまでもなく、図２１及び２２に示された除去部分は例示だけのものであること、及び追加の除去部分をハウジング３１２の多くの位置に配置できることが認められるであろう。ハウジング３１２は、小さい除去部分３３９及び内部直立柱３１８の近くで内面３２０に取り付けられた４個の部分的に穴空きにされた柱３４０を備える。
図２０を参照すれば、カバー３４２は、第１の実施例のカバー４２と同様であるが、図１−２及び７−８に示されたカバー４２のような正方形の形状を有するとしては示されない。代わりに、カバー３４２は、単なる長方形の形状を有するとして図２０に示される。その他の総てに関しては第１の実施例のカバー４２と同様である。図２０に示されるように、カバー３４２は、一般に平らなカバー外面３４３及びカバー外面３４３とは反対側の一般に平らなカバー内面３４４を備える。図示されないが、カバー３４２は、カバー３４２の対角線方向反対側のコーナーの近くでカバー内面３４４に隣接して配置された１対のカバー柱を備える。第１の実施例のカバー４２と同様に、カバー３４２は、公知の種々のポリマー、耐食性金属及びワックスのような好ましくは弾力があって本質的に生物分解せずかつ温度及び紫外線放射による劣化に耐える耐久性材料で形成されることが好ましい。各カバー柱はこれを通るカバーの穴３４６を定め、カバー外面３４３はこのカバー穴３４６と対応する１対の凹み部分３４７を定める。カバー穴３４６は、説明されるであろうようにカバー３４２がハウジング３１２に取り付けられたときに、ハウジング３１２のタッピング柱３２２（図２１参照）と整列して配置される。カバー３４２は、更にカバー周囲のショルダー３４８を有し、カバー周囲ショルダー３４８には複数のカバーチャンネル３５０が配置され、各カバーチャンネル３５０は平滑な外向きに突き出ているカバーフィンガー３５２を備える。従って、カバー３４２は、各カバーフィンガー３５２をハウジング３１２の対応したスロット３３６内に入れ込むことによりハウジング３１２の第２の外面３１４（図２１参照）と組み合うことができる。ハウジング３１２と組み合って位置決めされたカバー３４２は、刃付きの工具をこじ開け用の溝３３７内に使用することにより外すことができる。カバー３４２は、カバーフィンガー３５２のスロット３３６に関する相対的な撓みと各カバーフィンガー３５２を１個のスロット３３６内に配置することにより、どのハウジング３１２にも脱着可能でかつ相互交換可能に連結することができる。更に、カバー３４２は、先に説明されたカバーフィンガー３５２及びスロット３３６以外の適宜の種々の連結用手段を使用してハウジング３１２に着脱可能に連結することができる。例えば、前に注意されたように、カバー穴３４６は、タッピング柱３２２と揃えて配置され、従ってカバー３４２がハウジング３１２と組み合わせられたときは、各カバー穴３４６を通過するように配置されかつ各タッピング柱３２２にねじ結合されたタッピングねじのようなねじ固定具（図示せず）の使用により、ハウジング３１２へのカバー３４２の更なる取り付けを行うことができる。好ましくは、本発明内の含水率の調節用に使用できる１個又は複数個の水分ユニット３５４がカバー内面３４４に取り付けられる。水分ユニット３５４は、適切な水分保持材料、例えば吸収性のスポンジ状材料より形成され、例えば接着剤によりカバー内面３４４に取り付けられる。
図２０及び２３を参照すれば、一般に平らなマトリックス保持板３５６は一般に平らな外面３５９及び外面３５９と反対側の一般に平らな内面３６１を持つ。ポスト３５８が内面３６１から離れるように突き出す。典型的には、４個のポスト３５８があり、そしてポスト３５８は内面３６１から離れるように一般に直角方向に伸びる。マトリックス保持板３５６の各ポスト３５８をハウジング３１２の部分的に穴空けされた柱３４０の１個の中にそれぞれ差し込むことにより、ハウジング３１２にマトリックス保持板３５６を取り付けることができる。マトリックス保持板３５６はハウジング３１２に永久的に又は着脱可能に取り付けられる。例えば、ポスト３５８及び部分的穴空き柱３４０は、本技術の熟練者によく知られた方法でマトリックス保持板３５６がハウジング３１２に永久的に又は着脱可能のいずれかで取り付けられるような大きさとすることができる。本発明の好ましい実施例においては、ポスト３５８及び部分的穴空き柱３４０は、ポスト３５８が部分的穴空き柱３４０内に受けいれらると、マトリックス保持板３５６をハウジング３１２から外そうとするいかなる試みも破断及びマトリックス保持板３５６の内面３６１からのポスト３５８の外れをもたらすであろう。この設計は、典型的に、消費されたマトリックス３１６を新しいマトリックス３１６と交換する手段として、害虫駆除員によりマトリックス保持板３５６がハウジング３１２から外されることを妨げるために利用されるであろう。また、マトリックス保持板３５６をハウジング３１２と一体に形成し、或いは種々の固定具、接着剤及び同等品のいずれかを使用してハウジング３１２に適切に取り付けることもまた考えられる。マトリックス保持板３５６はマトリックス３１６を内室３１５内の定位置に機能的に保持するように働き、更にハウジング３１２からカバー３４２を外すときに使用者に指示、注意及びその他の関連情報を表示することもできる。
ハウジング３１２を有する第５の実施例の装置１０は、第１の実施例及びハウジング１２と関連して説明された方法と同じ方法で本発明の上述の方法で使うことができる。取付面３６２が平面でなくかつ本発明に接近する昆虫が通過するエッジ３６６のある場合は、１次ハウジング３６０に１個又は複数個の大きさの異なった除去部分が設けられ、１次ハウジング６０に関連して上述された方法と同じ方法で使用される。
マトリックス３１６の昆虫による消費は、カバー３４２が透明又は半透明の場合はカバー３４２を通しての観察により監視され、或いは本質的に遮光環境が維持されるときは、１次ハウジング３６０を取付面３６２に関する定位置に維持しつつハウジングの第２の開口３２８（図２２参照）を通してマトリックス３１６を示すように、１次ハウジング３６０からカバー３４２を外すことにより監視することができる。図２０において１次ハウジング３６０内にあるマトリックス３１６により示されるように、毒物含有マトリックス３１６のかなりの部分が消費された場合は、１次ハウジング３６０のスロット３３６（図２１参照）内に２次ハウジング３７０のフィンガー３３４（図２３参照）を差し込み、２次ハウジング３７０と呼ばれる別のハウジング３１２を１次ハウジング３６０に取り付けることにより、追加の毒物を昆虫に与えることができる。この方法で、２次ハウジング３７０は１次ハウジング３６０と組み合って位置決めされ、このときは、２次ハウジング３７０の第１の外面３１３（図２３参照）が１次ハウジング３６０の第２の外面３１４（図２１参照）に隣接して配置され、そして２次ハウジング３７０の第１の開口３２６（図２３参照）は１次ハウジング３６０のハウジング第２の開口３２８（図２２参照）と連絡する。従って、１次ハウジング３６０の内室３１５内にいた昆虫は第２のハウジング３７０の内室３１５内に自由に動き、ここでマトリックス３１６の消費を始める。１次ハウジング３６０への取り付けに関連して先に説明された方法で２次ハウジング３７０にカバー３４２を取り付けることにより、本発明は、取付面３６２と１次ハウジング３６０との間の共通域を大きく乱すことない環境で拡張され積み重ねられた形式で追加のマトリックス３１６を提供するように構成され、これにより昆虫は、その摂食環境への最小の妨害で、１次ハウジング３６０のマトリックス３１６から２次ハウジング３７０のマトリックス３１６に動くことができる。
２次ハウジング３７０のマトリックス３１６の相当な部分が消費された後、これが２次ハウジング３７０における活動の周期的監視から示されると、１次ハウジング３６０への２次ハウジング３７０の取り付けに関して先に説明された方法と同様な方法で２次ハウジング３７０になお別なハウジング３１２を取り付けて追加できることは明らかである。更に追加ハウジング３１２を同様に追加し、これにより１次ハウジング３６０に取り付けられたハウジング３１２の拡張された積重なりを形成することができる。ハウジング３１２の追加は、シロアリのコロニー又は巣と１次ハウジング３６０との間に先に確立された接近用の廊下又は通路の現存ネットワークを乱すことがない。
１次ハウジング３６０に取り付けられたハウジング３１２の積重ねは積重ね内の個別ハウジング３１２の相対位置を交換し、或いは実質的に消費されたマトリックス３１６のある選定されたハウジング３１２を取り除くようにして、分解及び再組立をすることができる。また、現在昆虫が活動しているハウジング３１２と１次ハウジング３６０との間に新しい未使用のハウジング３１２を置くことにより、昆虫を、新しいハウジング３１２のマトリックス３１６を食べ１次ハウジング３６０に戻るように導くことできる。
ある場合は、取付面３６２から１次ハウジング３６０を外すことが適切であるが、一般に、昆虫に親しみを与えかつ取付面３６２の内部環境と１次ハウジング３６０に取り付けられたハウジング３１２との間の共通域に安定を与えるために、１次ハウジング３６０は、取付面３６２の取り付けられた位置に残されるであろう。
マトリックス保持板３５６がハウジング３１２の取外し可能に取り付けられそしてハウジング３１２内のマトリックス３１６の全部又は一部分が消費された後、希望するならば、マトリックス保持板３５６をハウジング３１２から外し、元のマトリックス３１６の残っている部分を取り去った後で後で交換マトリックス３１６を内室３１５内に置き、その後でマトリックス保持板３５６のポスト３５８をハウジング３１２の部分穴の柱３４０内に差し込んでマトリックス保持板３５６を交換することにより、新しい交換マトリックス３１６をハウジング３１２内に置くことができる。
ハウジング１２及び本発明の第２の実施例に関して以上説明されたように、２個又はそれ以上のハウジング３１２を同じ方式で横並びに配列することができる。更に、ハウジング１２及び本発明の第１及び第２の実施例の共同使用に関し上述されたように、ハウジング３１２は、横並びと積重ねの共同した方式に配列することもでき、この場合、各ハウジング３１２は、これに１個又は複数個の２次ハウジング３７０を取り付けることにより１次ハウジング３６０として作用する。
本発明は、特定の目標害虫に最適な特別な方法と装置及び個々に提供された教示を用いて本技術の熟練者に明らかな環境設定で利用し得る多くの方法及び装置を意図する。説明と教示とは第１にシロアリの駆除に焦点を合わせたが、本技術熟練者により、これらの方法及び装置の変更並びにシロアリ以外の昆虫と害虫に対する適用の可能性が認められかつ使用されることが認められるであろう。特に、長方形及び正方形以外の物理的形状のハウジング及び装置を本発明の範囲から離れることなく使用するができる。従って、本発明の範囲は以下の請求項により説明されるように定められる。
【図１】
0003777557.tif 000002
【図２】
0003777557.tif 000003
【図３】
0003777557.tif 000004
【図４】
0003777557.tif 000005
【図５】
0003777557.tif 000006
【図６】
0003777557.tif 000007
【図７】
0003777557.tif 000008
【図８】
0003777557.tif 000009
【図９】
0003777557.tif 000010
【図１０】
0003777557.tif 000011
【図１１】
0003777557.tif 000012
【図１２】
0003777557.tif 000013
【図１３】
0003777557.tif 000014
【図１４】
0003777557.tif 000015
【図１５】
0003777557.tif 000016
【図１６】
0003777557.tif 000017
【図１７】
0003777557.tif 000018
【図１８】
0003777557.tif 000019
【図１９】
0003777557.tif 000020
【図２０】
0003777557.tif 000021
【図２１】
0003777557.tif 000022
【図２２】
0003777557.tif 000023
【図２３】
0003777557.tif 000024